(57)【要約】【課題】自動販売機等のレグアジャスタを有する筐体側には何ら加工を加えることなく、筐体底面と設置面との間の隙間を塞ぐことを目的とする。【解決手段】底面の四隅近傍に高さ調整を行なうレグアジャスタ１０を有する設備において、前記レグアジャスタ１０に設けたブラケット部２０、３０と、該ブラケット部２０、３０間に架渡され、前記ブラケット部２０、３０に脱脱可能な前記硬貨作動式機械の筐体底部２と設置面との隙間を塞ぐ塞板４０、５０と、を備えた設備の下部塞板取付け構造としてある。  さらに塞ぎ板５０に窓部６０を設け、該窓部６０に透光性部材６１を交換可能に設け、該透光製部材６１の裏側に照明装置６５を設けた設備の下部塞ぎ板取付け構造としてある。【選択図】図２
2006012102.tif 000002
【特許請求の範囲】
【請求項１】
底面の四隅近傍に高さ調整を行なうレグアジャスタを有する設備において、前記レグアジャスタに設けたブラケット部と、
該ブラケット部間に架渡され、前記ブラケット部に脱脱可能な筐体底部と設置面との隙間を塞ぐ塞ぎ板と、を備えた設備の下部塞ぎ板取付け構造。
【請求項２】
前記ブラケット部と前記塞ぎ板は互いにマグネットにより脱着可能とした請求項１の設備の下部塞ぎ板取付け構造。
【請求項３】
左右の側板が一部前側まで回り込んでおり、前板を前記左右の側板に架け渡し脱着可能としたことを特徴とする設備の下部塞ぎ板取付け構造。
【請求項４】
ブラケットに前板を取付け、前板は一部側面に回り込んでおり、側板は一部側面に回り込んだ前板とブラケット間に取付けたことを特徴とする設備の下部塞ぎ板取付け構造。
【請求項５】
塞ぎ板に窓部を設け、該窓部に透光性部材を交換可能に設け、該透光性部材の裏側に照明装置を設けた請求項１乃至４いずれか１つの設備の下部塞ぎ板取付け構造。
【請求項６】
底面の四隅近傍に高さ調整を行なうレグアジャスタを有する設備において、筐体の底部を鉄製とし、少なくとも筐体の正面幅を有し、高さが略通常のレグアジャスタの高さ寸法である軟質樹脂製の帯体の側辺側に複数のマグネット面を側辺側に向けて設けた、設備の下部塞ぎ板取付け板構造。
【発明の詳細な説明】
【技術分野】
【０００１】  本発明は、自動販売機や両替機、業務用遊戯装置等のレグアジャスタを有する筐体の設置後に生じる筐体下部と設置面との隙間を塞ぐとともに、足元照明を施す塞ぎ板の取付け構造に関する。
【背景技術】
【０００２】  図６に示す従来技術である硬貨作動式機械等においては、設置に際してぐらつかないように筐体０１の底面の四隅にレグアジャスタ０１０を設け、床面との間にぐらつきが無いように高さを調整するようになっている。
図６（Ａ）に示す自動販売機等の筐体０１は、底面０２に頑強な基台０３を四隅近傍に設けて、レグアジャスタ０１０が垂下している。レグアジャスタ０１０は筐体側の基台に螺子により取付けてある。
図６（Ｂ）にレグアジャスタの構造を示す。レグアジャスタ０１０は、筐体側の基台０３に溶着してされたナット０１１に対し固定ナット０１２を螺挿するレグボルト０１３を螺挿している。レグボルト０１３はナット０１１、固定ナット０１２を螺合する。レグボルト０１３の下部は足皿０１４になっており、足皿０１４を回すことで、レグボルトがナット０１１に対し、上下に螺子が回り、高さが変るのである。
これにより、足皿０１４を回すことでレグアジャスタの高さが変えられ、設置面の凹凸に合わせて高さを調整し、筐体を垂直に立設することが可能となる。【０００３】  こうしたレグアジャスタを用いた設置床面との高さ調整は一般的に行なわれており、どうしてもその調整のために筐体の底部と設置面との間には隙間が生じるのであった。この隙間は例えば自動販売機では誤って硬貨を床面に落して、自動販売機の底面に入れてしまうことがあった。【０００４】  そうした問題を解決するために、従来から様々な提案がなされている。
自動販売機の高さ調整後に生じた設置面と自動販売機との隙間を塞ぐように調整できる下部前面板を提供することを目的として、高さ調整機構と下部前面板とを備えた自動販売機において、高さ方向に伸縮調整可能であり、自動販売機の高さ調整後に生じた設置面と自動販売機の隙間を塞ぐ手段を備えたものがある（例えば、特許文献１参照。）。【０００５】  また、コインを投入して商品を選択販売する自動販売機において、コインの投入および商品の販売の機能等を保持する筐体の下部に高さの調整可能な脚部を備え、この脚部によって筐体の下部に形成される空間を囲む伸縮自在な遮蔽体を備えたものがある（例えば、特許文献２参照。）。【０００６】
【特許文献１】  特開平８−５５２７０号公報（第１頁、図１）
【特許文献２】  特開平１−２５１１９１号公報（第２頁、第３図）
【発明の開示】
【発明が解決しようとする課題】
【０００７】  しかるに、上記従来の自動販売機の筐体下部を塞ぐ手段や遮蔽体では、その取付けにあたり、自動販売機側に事前に取付用のネジ穴を設けておく必要があり、事前にネジ穴がない場合では、設置現場でネジ穴をあける必要があった。これではネジ穴の位置の決定等、設置にあたり、正確に作業をしなければならず不便であった。また、蛇腹の遮蔽体を取付けるには一人が自動販売機の筐体を傾け、その間にもうひとりが蛇腹を脚部をまたがすという作業が必要であった。【０００８】  本願では、こうした課題を解決するべく、レグアジャスタを有する筐体側には何ら加工を加えることなく、筐体底面と設置面との間の隙間を塞ぐことを目的としている。
さらに本願では、上記隙間を塞ぐだけでなく、塞ぎ部に電飾を配して、足元を照らすことで、操作者の足元を照らし、暗い場所に設置されていてもコイン（硬貨等）を落しても探しやすくするとともに、筐体のライトアップをすることを目的とする。
【課題を解決するための手段】
【０００９】  上記目的を達成するためこの発明では、以下のような構成を採用している。
底面の四隅近傍に高さ調整を行なうレグアジャスタを有する設備において、前記レグアジャスタに設けたブラケット部と、
該ブラケット部間に架渡され、前記ブラケット部に脱脱可能な筐体底部と設置面との隙間を塞ぐ塞ぎ板と、を備えた設備の下部塞ぎ板取付け構造を特徴としている。
これにり、レグアジャスタを有する設備であれば、レグアジャスタに固定したブラケット間に塞ぎ板を架け渡して取り付けることで、筐体下部と設置面との隙間をなくすことができる。【００１０】  前記ブラケット部と前記塞ぎ板は互いにマグネットにより脱着可能とした上記設備の下部塞ぎ板取付け構造を特徴とする。これにより、塞ぎ板はマグネットによりワンタッチでブラケットに取付けることが可能となるのである。【００１１】  さらに、左右の側板が一部前側まで回り込んでおり、前板を前記左右の側板に架け渡し脱着可能とした設備の下部塞ぎ板取付け構造を特徴としている。
これにより、回り込み部の端を筐体を構成する面の分割面に合わせることで、筐体全体のデザインにマッチすることができるのである。【００１２】  さらにまた、ブラケットに前板を取付け、前板は一部側面に回り込んでおり、側板は一部側面に回り込んだ前板とブラケット間に取付けた設備の下部塞ぎ板取付け構造を特徴としている。
これにより筐体正面側の塞ぎ板には切れ目がなくなり、デザイン的にすっきりするのである。【００１３】  塞ぎ板に窓部を設け、該窓部に透光性部材を交換可能に設け、該透光製部材の裏側に照明装置を設けた上記のいずれか１つの設備の下部塞ぎ板取付け構造を特徴としている。
これにより筐体の足元をライトアップでき、アイキャッチにもなり、窓部のデザインも自由に交換可能となっている。【００１４】  さらに、底面の四隅近傍に高さ調整を行なうレグアジャスタを有する設備において、筐体の底部を鉄製とし、少なくとも筐体の正面幅を有し、高さが略通常のレグアジャスタの高さ寸法である軟質樹脂製の帯体の側辺側に複数のマグネット面を側辺側に向けて設けた、設備の下部取付板構造を特徴としている。
これによりレグアシャスタを有する板金製や鉄塊製の機械類等の設備に対し、軟質樹脂製の帯体の側辺側に複数設けたマグネット面を設備の筐体下部の縁に沿って取付けることで、下部の隙間を塞ぐことができるのである。
【発明の効果】
【００１５】  以上のような取付け構造を有する設備の下部塞ぎ板取付け構造によると、既存の設備に対してネジ穴を開ける等の何ら加工をすることなく、レグアジャスタの固定ナットにてブラケットを取付けることが可能であり、該ブラケットに塞ぎ板を架け渡すことで塞ぎ板を取付けられるので、硬貨や部品などを誤って落して、設備の底に入り込むことがなくなる。
これにより、設備の管理者は、硬貨や部品、ゴミ等が取出すために設備を移動させたり、何らかの道具を用いて設備の筐体下部に入り込んだ部材を取出す必要がなくなるのである。【００１６】  また、筐体下部に空間がなくなるため、見た目にも清潔感が保たれ、デザイン的にもすっきりするのである。
さらに、設備本体を移動させる場合でも、ワンタッチで塞ぎ板を取り外しことが可能であり、非常に便利である。
尚さらに、塞ぎ板に照明を設けた場合には、足元のライトアップができ、暗い場所に設備が設置されていても硬貨等を落した場合に容易に見つけることができる。さらに照明する窓部とする透光製部材を交換できるので、デザイン性が上がり、人目を引きやすいのである。
【発明を実施するための最良の形態】
【００１７】  以下、本発明に係るレグアジャスタを有する筐体の塞ぎ板構造の実施形態を図面に示した実施例を参照して詳細に説明する。
【実施例１】
【００１８】  図１は、本願発明の塞ぎ板を取付けた筐体の斜視図である。筐体１は、硬貨作動式機械、両替機、メダルを用いる業務用遊戯装置、旋盤等の加工機械、食品製造機、パーテーションパネル板、衝立等のレグアジャスタを有し、筐体の底面と設置面との距離がレグアジャスタ分の隙間しかない設備である。筐体１の高さは人の背丈ほどあり、街角や屋内に設置される際に、数人かかりで設置しなければならいほどの大きさを有している。従って設置の際には水平に筐体１を設置するために、設置面に合わせて筐体の底面２の四隅にあるネジ式のアジャスタ１０を回して高さを調整して筐体１を立設するのである。
筐体の底面２と設置面との間には筐体の側面塞ぎ板４０、正面塞ぎ板４０で覆われている。そして側面塞ぎ板４０と正面塞ぎ板５０のつなぎ目Ｌは筐体の分割面の分割線Ｌに合わせてある。
さらに正面塞ぎ板５０には窓部６０が設けられ、窓部６０の内側から照明が施されている。【００１９】  図２に塞ぎ板の取付け構造を示す斜視図を示し、図３は側面塞ぎ板の取付け構造の正面図を示す。
筐体１の底面の四隅にレグアジャスタ０１０を設け、床面Ｇとの間にぐらつきが無いように高さを調整するようになっている。
筐体１は、底面２に頑強な基台３を四隅近傍に設けて、レグアジャスタ１０が垂下している。レグアジャスタ１０は筐体側の基台３に取付けてある。
レグアジャスタ１０は、筐体側の基台３に溶着してされた基台ナット１１に対し固定ナット１２を螺挿するレグボルト１３を螺挿している。レグボルト１３は基台ナット１１、固定ナット１２を螺合する。レグボルト１３の下部は足皿１４になっており、足皿１４を回すことで、レグボルトが基台ナット１１に対し、上下に螺子が回り、高さが変るのである。ここで固定ナット１２はレグボルト１３に対し通常は自由に回転可能となっており、レグアジャスタ１０の高さ調整後にレグアジャスタを固定するために、基台ナット１１に対し締付けてレグボルト１２が容易に回らないようにレグボルト１２を固定する。
このレグアジャスタ１０の基台に溶着された基台ナット１１と固定ナット１２の間にレグブラケット２０、３０を挿入する。【００２０】  レグブラケットは筐体後方側のブラケット２０と前側のブラケット３０となっている。ブラケット２０は基台ナット１１の下面位置から水平に水平板２１が固定される。この水平板２１は直角を有する台形状であり、台形状の上辺からレグボルト１３の幅で切欠２２が設けられている。そして該切欠２２の奥縁でレグボルト１３に当接した後に切欠２２の開口側から水平板２１と同一厚みの切欠２２をレグボルト１３の開口側に当接させて切欠２２を埋める埋片２２ａを挿入して固定ナット１２を回して基台ナット１１に締付けて固定する。この埋片２２ａにより、固定ナット１２の締込みによるブラケット２０の傾きや変形を防止することができる。【００２１】  切欠２２の奥縁で固定された水平板の筐体の側面から塞ぎ板４０の板厚分ｔだけ内側位置で、上下に折れ曲がり上板２３と下板２４とに分れている。
上板２３は上端が内側に折り曲げた折曲部２３ａを有し、上板の折曲部２３ａは筐体の底面２から少なくとも塞ぎ板の板厚ｔより多少隙間を有している。下板２４は設置面Ｇに達しない長さにしてある。この上板２３の上端と下板２４の下端の距離は側面塞ぎ板の高さよりは短い長さとなっている。
さらに上板２３、下板２４の折り曲側の反対位置の水平板２１にはマグネット面が側面に沿う直方体型のマグネット２５が取付けてある。【００２２】  この直方体型マグネットとは、直方体のケース内の一側面に平行に２枚の板マグネットが内設してあり、直方体の位置側面から多少出ている板マグネットが多少がたつきを吸収可能に多少は傾きや出没が可能となっている。これは筆箱等の蓋の固定に用いられるマグネットと同様の構造である。この構成により、ブラケット２０が多少傾いてレグアジャスタ１０に固定されても塞ぎ板をマグネットで吸い付けることが可能である。【００２３】  次に前側のブラケット３０について説明する。筐体の前側の左右はデザイン的にカーブがつけられており、これに合わせてブラケット３０は一部がカーブになった略１／４円状の水平板３１となっている。水平板が筐体の側面に沿うことができて側辺からレクボルト１３の幅で切欠３２が設けられており、該切欠の奥縁でレグボルト１３に当接して固定する。ここでもブラケット３０が傾いたり、変形しないように切欠３２の埋片３２ａを用いる。そして切欠３２の奥縁で固定された水平板の筐体の側面から塞ぎ板の板厚ｔだけ内側位置の両端で上下に折りがり上板３３と下板３４とが設けられている。上板３３は上端が内側に折り曲げた折曲部３３ａを有し、上板の折曲部３３ａは筐体の底面２から少なくとも塞ぎ板の板厚ｔより多少隙間を有している。上板と下板の距離は塞ぎ板４０の高さよりは短い。
さらに上板３３、下板３４の折り曲側の反対位置の水平板３１にはマグネット面が側面に沿う直方体形のマグネット３５がそれぞれ取り付けられている。【００２４】  このようにして後と前のレグアジャスタの基台ナット１１と固定ナット１２にブラケット２０、３０を挟み固定して、側面塞ぎ板４０をブラケット２０、３０間に架け渡す。
側面ブラケット４０は筐体１の後から前側の側面を覆い正面側のカーブに合わせて正面の側面まで回り込んでいる。側面塞ぎ板４０は内側に向けて断面が浅底のコの字状に構成された平面がＪ字状にカーブを有する部材であり高さｈはレグアジャスタの略高さに合わせてある。側面塞ぎ板の正面側は筐体の側部のカーブに沿っており、筐体本体の分割線Ｌの位置で終えており、前端は上端及び下端から同距離位置で且つ、塞ぎ板の内側位置に腕部材４１が出ており、腕部材４１には直方体のマグネット４２が夫々正面側にマグネット面を向けて略コの字状に３ケ取付けてある。各マグネット４２のマグネット面は塞ぎ板の板面から塞ぎ板の厚みｔ分だけ内側に位置している。これにより正面塞ぎ板５０を取付けた際に段差が生じないようになっている。【００２５】  次に正面塞ぎ板の構造について図４の正面塞ぎ板に照明を入れた側面図をも加えながら説明する。尚、図２に示している正面塞ぎ板５０は正面５０と背面５０Ｂの斜視図が示されている。
正面塞ぎ板５０は左右の側面塞ぎ板４０、４０の腕部材４１、４１に架け渡され、腕部材のマグネット４２により脱着自在に固定される。正面塞ぎ板５０は上側及び下側が断面形状がコの字状に折り曲げたき折曲部５１、５２となっている。この折曲部５１、５２の高さは上下の折曲部５１、５２で同一形状であり、側面塞ぎ板の腕部材４１を挟むのに適した高さとなっている。
正面塞ぎ板５０の正面中央には長手方向に窓部６０が長方形に開口している。窓部には透光性のデザインシート６１が取り外し可能にパネルブラケット６２が折曲部５１、５２の後面に蛍光灯ブラケット６３と一緒にネジ止めされて嵌められており、デザインシート６１にはデザインが施されている。さらに折曲部５１、５２の後面間に奥行き方向に台形状になった蛍光灯ブラケット６３が位置している。蛍光灯ブラケット６３の内側は反射板６４を構成し、反射板６４には蛍光灯器具６５がデザインシート６１を照明するよう取付けられている。蛍光灯器具６５には電線がヒューズ６６を介してスイッチ６７に接続されＡＣコンセント６８に繋がっている。
【実施例２】
【００２６】  図５は実施例２の柔軟性のあるビニールシートの塞ぎ部材の図である。このビニールシート７０は高さが実施例１の塞ぎ板と略同一であり、幅は筐体の正面幅あるいは、両側面を含めてもよい。ビニールシート７０の上端にはマグネット面を上側にした長方形マグネット７１が複数個、適宜間隔を有して取り付けてある。このビニールシートはマグネット面を筐体の底部の側面縁に沿って取付けてビニールシートを筐体の縁に沿って取付けるのである。
このビニールシートを透光性のある素材としておき、筐体側に直方体状のブラケットの位置側を開口してブラケット内に蛍光灯等の照明器具を内蔵し、このブラケットをマグネットにて筐体底面に取付けてビニールシートを照らすことにより、足元を照明する効果や、認識性が高まる。
またビニールシートは耐水性があるので、屋内のみならず屋外での使用も可能である。【００２７】  実施例１では、側面塞ぎ板が前側に回り込んた例を説明したが、勿論、前側塞ぎ板が両側面側に回り込んでいて、両側面塞ぎ板が回り込んだ正面塞ぎ板と後方のブラケットとの間に取付けてもよい。さらに、筐体底部の四隅のレグアジャスタの夫々に塞ぎ板を掛け渡すようにしてもよいし、塞ぎ板側のみにマグネットを取付けて、レグアジャスタのブラケットにはマグネットがない構造としてもよいのは自明である。
さらに塞ぎ板は位置側面だけでなく、正面、左右の側面を一体としてコ字状に構成しておい部ブラケットに着脱自在に取付けてもよい。
さらに上述した説明ではマグネットにより、ブラケットと塞ぎ板を脱着可能に取付けたが、マグネットを用いない方式でも係脱可能であればよい。例えばブラケット側と塞ぎ板の接触面に面ファスナーを用いたり、スナップボタン式としたり、弾性力のあるローラで他方の凸部を挟み込む方式でもよい。
または、塞ぎ板の上面及び下面の先端を下に折り曲げて、ブラケットの上板および下板に掛けるようにして塞ぎ板の自重で係止めする方式としてもよい。
【図面の簡単な説明】
【００２８】
【図１】  塞ぎ板を取付けた筐体の斜視図である。
【図２】  塞ぎ板の取付け構造を示す斜視図である。
【図３】  側部の塞ぎ板の取付け構造の正面図である。
【図４】  正面塞ぎ板に照明を入れた側面図である。
【図５】  実施例２の柔軟性のあるビニールシートの塞ぎ部材の図である。
【図６】  従来技術としての硬貨作動式機械を示す。
【符号の説明】
【００２９】１・・・筐体
２・・・底面
３・・・基台
１０・・・レグアジャスタ
１１・・・基台ナット
１２・・・固定ナット
１３・・・レグボルト
１４・・・足皿
２０・・・レグブラケット
３０・・・レグブラケット
４０・・・側面塞ぎ板
５０・・・正面塞ぎ板
６０・・・デザインシート
６５・・・照明器具
【図１】
2006012102.tif 000003
【図２】
2006012102.tif 000004
【図３】
2006012102.tif 000005
【図４】
2006012102.tif 000006
【図５】
2006012102.tif 000007
【図６】
2006012102.tif 000008
【手続補正書】
【提出日】平成17年9月26日(2005.9.26)
【手続補正２】
【補正対象書類名】特許請求の範囲
【補正対象項目名】全文
【補正方法】変更
【補正の内容】
【特許請求の範囲】
【請求項１】
底面の四隅近傍に高さ調整を行なうレグアジャスタを有する設備において、前記レグアジャスタに設けたブラケット部と、
該ブラケット部間に架渡され、前記ブラケット部に着脱可能な筐体底部と設置面との隙間を塞ぐ塞ぎ板と、
を備えたことを特徴とする設備の下部塞ぎ板取付け構造。
【請求項２】
前記ブラケット部と前記塞ぎ板は互いにマグネットにより脱着可能としたことを特徴とする請求項１の設備の下部塞ぎ板取付け構造。
【請求項３】
左右の側板が一部前側まで回り込んでおり、前板を前記左右の側板に架け渡し脱着可能としたことを特徴とする設備の下部塞ぎ板取付け構造。
【請求項４】
ブラケットに前板を取付け、前板は一部側面に回り込んでおり、側板は一部側面に回り込んだ前板とブラケット間に取付けたことを特徴とする設備の下部塞ぎ板取付け構造。
【請求項５】
塞ぎ板に窓部を設け、該窓部に透光性部材を交換可能に設け、該透光性部材の裏側に照明装置を設けた請求項１乃至４いずれか1つを特徴とする設備の下部塞ぎ板取付け構造。
【請求項６】
底面の四隅近傍に高さ調整を行なうレグアジャスタを有する設備において、筐体の底部を鉄製とし、少なくとも筐体の正面幅を有し、高さが略通常のレグアジャスタの高さ寸法である軟質樹脂製の帯体の側辺側に複数のマグネット面を側辺側に向けて設けたことを特徴とする設備の下部塞ぎ板取付け板構造。
【手続補正３】
【補正対象書類名】明細書
【補正対象項目名】全文
【補正方法】変更
【補正の内容】
【発明の詳細な説明】
【技術分野】
【０００１】
本発明は、自動販売機や両替機、業務用遊戯装置等のレグアジャスタを有する各種設備の筐体の設置後に生じる筐体下部と設置面との隙間を塞ぐとともに、足元照明を施す塞ぎ板の取付け構造に関する。
【背景技術】
【０００２】
図６に従来技術である硬貨作動式機械の斜視図を示す。これら等においては、図６（Ａ）に示す如く、設置に際してぐらつかないように筐体０１の底面の四隅にレグアジャスタ０１０を設け、床面との間にぐらつきが無いように高さを調整するようになっている。
図6（Ｂ）にレグアジャスタの構造を示す。自動販売機等の筐体０１は、底面０２に頑強な基台０３を四隅近傍に設けて、レグアジャスタ０１０が垂下している。レグアジャスタ０１０は筐体側の基台に螺子により取付けてある。
レグアジャスタ０１０は、筐体側の基台０３に溶着してされたナット０１１に対し固定ナット０１２を螺挿するレグボルト０１３を螺挿している。レグボルト０１３はナット０１１、固定ナット０１２を螺合する。レグボルト０１３の下部は足皿０１４になっており、足皿０１４を回すことで、レグボルト０１３がナット０１１に対し、上下に螺子が回り、高さが変るのである。
これにより、足皿０１４を回すことでレグアジャスタ０１３の高さが変えられ、設置面の凹凸に合わせて高さを調整し、筐体を垂直０１に立設することが可能となる。
【０００３】
こうしたレグアジャスタを用いた設置床面との高さ調整は一般的に行なわれており、どうしてもその調整のために筐体の底部と設置面との間には隙間が必要となるのであった。この隙間は例えば自動販売機では誤って硬貨を床面に落して、自動販売機の底面に入れてしまうことがあった。
【０００４】
そうした問題を解決するために、従来から様々な提案がなされている。
その一つとして、自動販売機の高さ調整後に生じた設置面と自動販売機との隙間を塞ぐように調整できる下部前面板を提供することを目的として、高さ調整機構と下部前面板とを備えた自動販売機において、高さ方向に伸縮調整可能であり、自動販売機の高さ調整後に生じた設置面と自動販売機の隙間を塞ぐ手段を備えたものがある（例えば、特許文献１参照。）。
【０００５】
また、コインを投入して商品を選択販売する自動販売機において、コインの投入および商品の販売の機能等を保持する筐体の下部に高さの調整可能な脚部を備え、この脚部によって筐体の下部に形成される空間を囲む伸縮自在な遮蔽体を備えたものがある（例えば、特許文献２参照。）。
【０００６】
【特許文献１】特開平８−５５２７０号公報（第１頁、図１）
【特許文献２】特開平１−２５１１９１号公報（第２頁、第３図）
【発明の開示】
【発明が解決しようとする課題】
【０００７】
しかるに、上記従来の自動販売機の筐体下部を塞ぐ手段や遮蔽体では、その取付けにあたり、自動販売機側に事前に取付用のネジ穴を設けておく必要があり、事前にネジ穴がない場合では、設置現場でネジ穴をあける必要があった。これではネジ穴の位置の決定等、設置にあたり、正確に作業をしなければならず不便であった。また、蛇腹の遮蔽体を取付けるには一人が自動販売機の筐体を傾け、その間にもうひとりが蛇腹を脚部をまたがすという作業が必要であった。
【０００８】
本願では、こうした課題を解決するべく、レグアジャスタを有する筐体側には何ら加工を加えることなく、筐体底面と設置面との間の隙間を塞ぐことを目的としている。
さらに本願では、上記隙間を塞ぐだけでなく、塞ぎ部に電飾を配して、足元を照らすことで、操作者の足元を照らし、暗い場所に設置されていてもコイン（硬貨等）を落して場合に探しやすくするとともに、筐体のライトアップをすることを目的とする。
【課題を解決するための手段】
【０００９】
上記目的を達成するためこの発明では、以下のような構成を採用している。
底面の四隅近傍に高さ調整を行なうレグアジャスタを有する設備において、前記レグアジャスタに設けたブラケット部と、
該ブラケット部間に架渡され、前記ブラケット部に着脱可能な筐体底部と設置面との隙間を塞ぐ塞ぎ板と、を備えた設備の下部塞ぎ板取付け構造としている。
これにより、レグアジャスタを有する設備であれば、レグアジャスタに固定したブラケット間に塞ぎ板を架け渡して取り付けることで、筐体下部と設置面との隙間をなくすことができる。
【００１０】
また、前記ブラケット部と前記塞ぎ板は互いにマグネットにより脱着可能とした上記設備の下部塞ぎ板取付け構造とする。これにより、塞ぎ板はマグネットによりワンタッチでブラケットに取付けることが可能となるのである。
【００１１】
さらに、左右の側板が一部前側まで回り込んでおり、前板を前記左右の側板に架け渡し脱着可能とした設備の下部塞ぎ板取付け構造を特徴としている。
これにより、回り込み部の端を筐体を構成する面の分割面に合わせることで、筐体全体のデザインにマッチすることができるのである。
【００１２】
さらにまた、ブラケットに前板を取付け、前板は一部側面に回り込んでおり、側板は一部側面に回り込んだ前板とブラケット間に取付けた設備の下部塞ぎ板取付け構造を特徴としている。
これにより筐体正面側の塞ぎ板には切れ目がなくなり、デザイン的にすっきりするのである。
【００１３】
なお、塞ぎ板に窓部を設け、該窓部に透光性部材を交換可能に設け、該透光製部材の裏側に照明装置を設けた上記のいずれか1つの設備の下部塞ぎ板取付け構造としている。
これにより筐体の足元をライトアップでき、アイキャッチにもなり、窓部のデザインも自由に交換可能となっている。
【００１４】
さらに、底面の四隅近傍に高さ調整を行なうレグアジャスタを有する設備において、筐体の底部を鉄製とし、少なくとも筐体の正面幅を有し、高さが略通常のレグアジャスタの高さ寸法である軟質樹脂製の帯体の側辺側に複数のマグネット面を側辺側に向けて設けた、設備の下部取付板構造としている。
これによりレグアシャスタを有する板金製や鉄塊製の機械類等の設備に対し、軟質樹脂製の帯体の側辺側に複数設けたマグネット面を設備の筐体下部の縁に沿って取付けることで、下部の隙間を塞ぐことができるのである。
【発明の効果】
【００１５】
以上のような取付け構造を有する設備の下部塞ぎ板取付け構造によると、既存の設備に対してネジ穴を開ける等の何ら加工をすることなく、レグアジャスタの固定ナットにてブラケットを取付けることが可能であり、該ブラケットに塞ぎ板を架け渡すことで塞ぎ板を取付けられるので、硬貨や部品などを誤って落して、設備の底に入り込むことがなくなる。
これにより、設備の管理者は、硬貨や部品、ゴミ等が取出すために設備を移動させたり、何らかの道具を用いて設備の筐体下部に入り込んだ部材を取出す必要がなくなるのである。
【００１６】
また、筐体下部に空間がなくなるため、見た目にも清潔感が保たれ、デザイン的にもすっきりするのである。
さらに、設備本体を移動させる場合でも、ワンタッチで塞ぎ板を取り外しことが可能であり、非常に便利である。
尚さらに、塞ぎ板に照明を設けた場合には、足元のライトアップができ、暗い場所に設備が設置されていても硬貨等を落した場合に容易に見つけることができる。さらに照明する窓部とする透光製部材を交換できるので、デザイン性が上がり、人目を引きやすいのである。
【発明を実施するための最良の形態】
【００１７】
以下、本発明に係るレグアジャスタを有する筐体の塞ぎ板構造の実施形態を図面に示した実施例を参照して詳細に説明する。
【実施例１】
【００１８】
図１は、本願発明の塞ぎ板を取付けた筐体の斜視図である。筐体１は、硬貨作動式機械、両替機、メダルを用いる業務用遊戯装置、旋盤等の加工機械、食品製造機、パーテーションパネル板、衝立等のレグアジャスタを有し、筐体の底面と設置面との距離がレグアジャスタ分の隙間しかない設備である。筐体1の高さは人の背丈ほどあり、街角や屋内に設置される際に、数人がかりで設置しなければならいほどの大きさを有している。従って設置の際には水平に筐体1を設置するために、設置面に合わせて筐体の底面2の四隅にあるネジ式のアジャスタ１０を回して高さを調整して筐体１を立設するのである。
筐体の底面２と設置面との間には筐体の側面塞ぎ板４０、正面塞ぎ板５０で覆われている。そして側面塞ぎ板４０と正面塞ぎ板５０のつなぎ目Ｌは筐体の分割面の分割線Ｌ1に合わせてある。
さらに正面塞ぎ板５０には窓部６０が設けられ、窓部６０の内側から照明が施されている。
【００１９】
図２に塞ぎ板の取付け構造を示す斜視図を示し、図３は側面塞ぎ板の取付け構造の正面図を示す。
筐体１の底面の四隅にレグアジャスタ１０を設け、床面Ｇとの間にぐらつきが無いように高さを調整するようになっている。
筐体１は、底面２に頑強な基台３を四隅近傍に設けて、レグアジャスタ１０が垂下している。レグアジャスタ１０は筐体側の基台３に取付けてある。
レグアジャスタ１０は、筐体側の基台３に溶着してされた基台ナット１１に対し固定ナット１２を螺挿するレグボルト１３を螺挿している。レグボルト１３は基台ナット１１、固定ナット１２を螺合する。レグボルト１３の下部は足皿１４になっており、足皿１４を回すことで、レグボルト１３が基台ナット１１に対し、上下に螺子が回り、高さが変るのである。ここで固定ナット１２はレグボルト１３に対し通常は自由に回転可能となっており、レグアジャスタ１０の高さ調整後にレグアジャスタ１０を固定するために、基台ナット１１に対し締付けてレグボルト１２が容易に回らないようにレグボルト１２を固定する。
このレグアジャスタ１０の基台に溶着された基台ナット１１と固定ナット１２の間にレグブラケット２０、又は３０を挿入する。
【００２０】
筐体後方側のブラケット２０と前側のブラケット３０となっている。ブラケット２０は基台ナット１１の下面位置から水平に水平板２１が固定される。この水平板２１は直角を有する台形状であり、台形状の上辺からレグボルト１３の幅で切欠２２が設けられている。そして該切欠２２の奥縁でレグボルト１３に当接した後に切欠２２の開口側から水平板２１と同一厚みの切欠２２をレグボルト１３の開口側に当接させて切欠２２を埋める埋片２２ａを挿入して固定ナット１２を回して基台ナット１１に締付けて固定する。この埋片２２ａにより、固定ナット１２の締込みによるブラケット２０の傾きや変形を防止することができる。
【００２１】
後方側のブラケット２０は、切欠２２の奥縁で固定された水平板２１の筐体１の側面から塞ぎ板４０の板厚分ｔだけ内側位置で、上下に折れ曲がり上板２３と下板２４とに分れている。
上板２３は上端が内側に折り曲げた折曲部２３ａを有し、上板の折曲部２３ａは筐体の底面２から少なくとも塞ぎ板の板厚ｔより多少隙間を有している。下板２４は設置面Ｇに達しない長さにしてある。この上板２３の上端と下板２４の下端の距離は側面塞ぎ板４０の高さよりは短い長さとなっている。
さらに上板２３、下板２４の折り曲側の反対位置の水平板２１にはマグネット面が側面に沿う直方体型のマグネット２５が取付けてある。
【００２２】
この直方体型マグネット２５とは、直方体のケース内の一側面に平行に2枚の板マグネットが内設してあり、直方体の位置側面から多少出ている板マグネットが多少がたつきを吸収可能に多少は傾きや出没が可能となっている。これは筆箱等の蓋の固定に用いられるマグネットと同様の構造である。この構成により、ブラケット20が多少傾いてレグアジャスタ10に固定されても塞ぎ板４０をマグネットで吸い付けることが可能である。
【００２３】
次に前側のブラケット３０について説明する。筐体の前側の左右はデザイン的にカーブがつけられており、これに合わせてブラケット３０は一部がカーブになった略１／４円状の水平板３１となっている。水平板３１が筐体１の側面に沿うことができて側辺からレクボルト１３の幅で切欠３２が設けられており、該切欠の奥縁でレグボルト１３に当接して固定する。ここでもブラケット３０が傾いたり、変形しないように切欠３２の埋片３２ａを用いる。そして切欠３２の奥縁で固定された水平板３１の筐体の側面から塞ぎ板の板厚ｔだけ内側位置の両端で上下に折り曲がり上板３３と下板３４とが設けられている。上板３３は上端が内側に折り曲げた折曲部３３ａを有し、上板の折曲部３３ａは筐体の底面2から少なくとも塞ぎ板の板厚ｔより多少隙間を有している。上板と下板の距離は塞ぎ板４０の高さよりは短い。
さらに上板３３、下板３４の折り曲側の反対位置の水平板３１にはマグネット面が側面に沿う直方体形のマグネット３５がそれぞれ取り付けられている。
【００２４】
このようにして後と前のレグアジャスタの基台ナット11と固定ナット12にブラケット20、30を挟み固定して、側面塞ぎ板４０をブラケット２０、３０間に架け渡す。
側面塞ぎ板４０は筐体１の後から前側の側面を覆い正面側のカーブに合わせて正面の側面まで回り込んでいる。側面塞ぎ板４０は内側に向けて断面が浅底のコの字状に構成された平面がＪ字状にカーブを有する部材であり高さｈはレグアジャスタ１０の略高さに合わせてある。側面塞ぎ板の正面側は筐体の側部のカーブに沿っており、筐体本体の分割線Ｌ１の位置で終えており、前端は上端及び下端から同距離位置で且つ、塞ぎ板の内側位置に腕部材４１が出ており、腕部材４１には直方体のマグネット４２が夫々正面側にマグネット面を向けて略コの字状に３ケ取付けてある。各マグネット４２のマグネット面は塞ぎ板の板面から塞ぎ板の厚みｔ分だけ内側に位置している。これにより正面塞ぎ板５０を取付けた際に段差が生じないようになっている。
【００２５】
次に正面塞ぎ板の構造について図４の正面塞ぎ板に照明を入れた側面図をも加えながら説明する。尚、図２に示している正面塞ぎ板５０は正面５０と背面５０Ｂの斜視図が示されている。
正面塞ぎ板５０は左右の側面塞ぎ板４０、４０の腕部材４１、４１に架け渡され、腕部材のマグネット42により脱着自在に固定される。正面塞ぎ板５０は上側及び下側が断面形状がコの字状に折り曲げたき折曲部５１、５２となっている。この折曲部５１、５２の高さは上下の折曲部５１、５２で同一形状であり、側面塞ぎ板の腕部材４１を挟むのに適した高さとなっている。
正面塞ぎ板５０の正面中央には長手方向に窓部60が長方形に開口している。窓部には透光性のデザインシート６１が取り外し可能にパネルブラケット６２が折曲部５１、５２の後面に蛍光灯ブラケット６３と一緒にネジ止めされて嵌められており、デザインシート６１にはデザインが施されている。さらに折曲部51、５２の後面間に奥行き方向に台形状になった蛍光灯ブラケット６３が位置している。蛍光灯ブラケット６３の内側は反射板６４を構成し、反射板６４には蛍光灯器具6５がデザインシート６１を照明するよう取付けられている。蛍光灯器具６５には電線がヒューズ6６を介してスイッチ６７に接続されＡＣコンセント６８に繋がっている。
【実施例２】
【００２６】
図５は実施例２の柔軟性のあるビニールシートの塞ぎ部材の正面図である。このビニールシート７０は高さが実施例１の塞ぎ板と略同一であり、幅は筐体の正面幅あるいは、両側面を含めてもよい。ビニールシート７０の上端にはマグネット面を上側にした長方形マグネット７１が複数個、適宜間隔を有して取り付けてある。このビニールシート７０はマグネット面を筐体の底部の側面縁に沿って取付けてビニールシート７０を筐体の縁に沿って取付けるのである。
このビニールシート７０を透光性のある素材としておき、筐体側に直方体状のブラケットの一側面側を開口してブラケット内に蛍光灯等の照明器具を内蔵し、このブラケットをマグネットにて筐体底面に取付けてビニールシート７０を照らすことにより、足元を照明する効果や、認識性が高まる。
またビニールシート７０は耐水性があるので、屋内のみならず屋外での使用も可能である。
【００２７】
実施例１では、側面塞ぎ板が前側に回り込んた例を説明したが、勿論、前側塞ぎ板が両側面側に回り込んでいて、両側面塞ぎ板が回り込んだ正面塞ぎ板と後方のブラケットとの間に取付けてもよい。さらに、筐体底部の四隅のレグアジャスタの夫々に塞ぎ板を掛け渡すようにしてもよいし、塞ぎ板側のみにマグネットを取付けて、レグアジャスタのブラケットにはマグネットがない構造としてもよいのは自明である。
さらに塞ぎ板は一側面だけでなく、正面、左右の側面を一体としてコ字状に構成しておいてブラケットに着脱自在に取付けてもよい。
さらに上述した説明ではマグネットにより、ブラケットと塞ぎ板を脱着可能に取付けたが、マグネットを用いない方式でも係脱可能であればよい。例えばブラケット側と塞ぎ板の接触面に面ファスナーを用いたり、スナップボタン式としたり、弾性力のあるローラで他方の凸部を挟み込む方式でもよい。
または、塞ぎ板の上面及び下面の先端を下に折り曲げて、ブラケットの上板および下板に掛けるようにして塞ぎ板の自重で係止めする方式としてもよい。
【図面の簡単な説明】
【００２８】
【図１】塞ぎ板を取付けた筐体の斜視図である。
【図２】塞ぎ板の取付け構造を示す斜視図である。
【図３】側部の塞ぎ板の取付け構造の正面図である。
【図４】正面塞ぎ板に照明を入れた側面図である。
【図５】実施例２の柔軟性のあるビニールシートの塞ぎ部材の正面図である。
【図６】従来技術としての硬貨作動式機械を示す。
【符号の説明】
【００２９】
１・・・筐体
２・・・底面
３・・・基台
１０・・・レグアジャスタ
１１・・・基台ナット
１２・・・固定ナット
１３・・・レグボルト
１４・・・足皿
２０・・・レグブラケット
３０・・・レグブラケット
４０・・・側面塞ぎ板
５０・・・正面塞ぎ板
６０・・・デザインシート
６５・・・照明器具
【手続補正４】
【補正対象書類名】図面
【補正対象項目名】全図
【補正方法】変更
【補正の内容】
【図１】
2006012102.tif 000009
【図２】
2006012102.tif 000010
【図３】
2006012102.tif 000011
【図４】
2006012102.tif 000012
【図５】
2006012102.tif 000013
【図６】
2006012102.tif 000014